(57)【要約】【課題】  施工作業の容易化及び施工工数の低減、更には施工品質の向上を図るとともに、シーリング性能の劣化による防水性の低下を回避してメンテナンスフリーを実現する。【解決手段】  複数の外装パネルＰ…を建造物における外壁面Ｗの縦方向及び横方向に配列させた構成を有する外装パネル構造１において、外装パネルＰ…の周面部Ｐｒ…を水を導く水路Ｒｗとして形成するとともに、水路Ｒｗが交差する外装パネルＰ…間の接合部位Ｘｃ…に、上方からの水を受けて水路Ｒｗに導く水受ガイド２を配設する。【選択図】  図１
2005248451.tif 000002
【特許請求の範囲】
【請求項１】
複数の外装パネルを建造物における外壁面の縦方向及び横方向に配列させた構成を有する外装パネル構造において、外装パネルの周面部を水を導く水路として形成するとともに、前記水路が交差する外装パネル間の接合部位に、上方からの水を受けて前記水路に導く水受ガイドを配設したことを特徴とする外装パネル構造。
【請求項２】
前記外装パネルは、矩形の正面部とこの正面部の四辺に配した上面部，下面部，左面部及び右面部からなる前記周面部を有し、前記上面部の前後幅を、前記下面部の前後幅よりも広く形成することを特徴とする請求項１記載の外装パネル構造。
【請求項３】
前記外装パネルは、前記正面部と前記周面部を一枚のパネル材により一体成形してなることを特徴とする請求項１又は２記載の外装パネル構造。
【請求項４】
前記外装パネルは、前記正面部を含む外装パネル本体部と、この外装パネル本体部の裏面を支持し、かつ前記周面部を含む別体の支持部材により構成してなることを特徴とする請求項１又は２記載の外装パネル構造。
【請求項５】
前記水受ガイドは、前記接合部位を覆うカバー部材と、少なくとも前記外装パネルの裏面側における上方からの水を受けて前記水路に導く水受部材を備えることを特徴とする請求項１記載の外装パネル構造。
【請求項６】
前記カバー部材及び前記水受部材は、前記外装パネル又はこの外装パネルを支持する壁面下地部に固定することを特徴とする請求項５記載の外装パネル構造。
【発明の詳細な説明】
【技術分野】
【０００１】
本発明は、複数の外装パネルを建造物における外壁面の縦方向及び横方向に配列させた構成を有する外装パネル構造に関する。
【背景技術】
【０００２】
一般に、ビルディング等の建造物の外壁面には、複数の外装パネルを縦方向及び横方向に配列させた外装パネル構造を用いる場合も少なくない。
【０００３】
ところで、この種の外装パネル構造は、複数の外装パネルを接合して構成するため、接合部位から雨水等が外装パネルの裏面側に侵入しないように防水処理を施す必要があり、従来は、専ら外壁パネル間に生じる目地にコーキング材（シーリング材）を充填する防水処理を施していた。例えば、特開平５−５９７７１号公報で開示される外装パネルの接合構造は、垂直方向に延出して設置された下地材と、下地材に添設された一対のシーリング材と、シーリング材に接合端部が添設される外装パネルと、相隣る外装パネルの接合端面より各々突設された取付片が重合され、取付片側より下地材へ外装パネルを固着する固着材と、相隣る外装パネルの接合部に充填された弾性シーリング材とを備え、下地材と一対のシーリング材と取付片とにより囲まれた空間を水抜き通路とし、縦目地，横目地から侵入した水が、内部に漏水されることなく、水抜き通路より排出されるようにしている。
【特許文献１】特開平５−５９７７１号
【発明の開示】
【発明が解決しようとする課題】
【０００４】
しかし、上述した従来の外装パネル構造（外装パネルの接合構造）は、次のような問題点があった。
【０００５】
第一に、狭い横目地及び縦目地の中にコーキング材を充填する手間のかかる作業が必要になるため、作業工数の大幅な増加を招くとともに、一定の品質を確保するには熟練を要するなど、施工作業も大変になる。
【０００６】
第二に、コーキング材は、外部に直接晒されるため、寒暖の差によるヒビ割れ等の経時劣化により防水性の低下を招き易い。したがって、通常、定期的なメンテナンスを強いられるが、ビルディング等の外壁のメンテナンスはその作業が大変になるとともに、劣化した部位を特定しにくいことから十分な補修を行うことができない。
【０００７】
本発明は、このような背景技術に存在する課題を解決した外装パネル構造の提供を目的とするものである。
【課題を解決するための手段】
【０００８】
本発明は、上述した課題を解決するため、複数の外装パネルＰ…を建造物における外壁面Ｗの縦方向及び横方向に配列させた構成を有する外装パネル構造１において、外装パネルＰ…の周面部Ｐｒ…を水を導く水路Ｒｗとして形成するとともに、水路Ｒｗが交差する外装パネルＰ…間の接合部位Ｘｃ…に、上方からの水を受けて水路Ｒｗに導く水受ガイド２を配設したことを特徴とする。
【０００９】
この場合、発明の好適な態様により、外装パネルＰは、矩形の正面部Ｐｆとこの正面部Ｐｆの四辺に配した上面部Ｐｕ，下面部Ｐｄ，左面部Ｐｉ及び右面部Ｐｊからなる周面部Ｐｒを有し、上面部Ｐｕの前後幅Ｌｕを、下面部Ｐｄの前後幅Ｌｄよりも広く形成する。外装パネルＰとしては、正面部Ｐｆと周面部Ｐｒを一枚のパネル材Ｍａにより一体成形してもよいし、或いは正面部Ｐｆを含む外装パネル本体部Ｐｍと、この外装パネル本体部Ｐｍの裏面を支持し、かつ周面部Ｐｒを含む別体の支持部材Ｐｓにより構成してもよい。一方、水受ガイド２は、接合部位Ｘｃを覆うカバー部材２１と、少なくとも外装パネルＰの裏面側における上方からの水を受けて水路Ｒｗに導く水受部材２２を備えて構成できる。なお、このカバー部材２１及び水受部材２２は、外装パネルＰ又はこの外装パネルＰを支持する壁面下地部５１に固定することができる。
【発明の効果】
【００１０】
このような構成を有する本発明に係る外装パネル構造１によれば、次のような顕著な効果を奏する。
【００１１】
（１）  目地の中にコーキング材を充填する必要がないため、施工作業の容易化及び施工工数の低減を図れるとともに、熟練を要することなく全体の施工品質を高めることができる。
【００１２】
（２）  シーリング性能の劣化による防水性の低下を回避できるため、シーリングに対する補修が不要になるなど、メンテナンスフリーを実現できるとともに、シーリングを施さないため、外装パネルＰ…の裏面側における通気性が確保され、建造物を良好な状態に維持できる。
【００１３】
（３）  好適な態様により、外装パネルＰを、矩形の正面部Ｐｆとこの正面部Ｐｆの四辺に配した上面部Ｐｕ，下面部Ｐｄ，左面部Ｐｉ及び右面部Ｐｊからなる周面部Ｐｒを有し、上面部Ｐｕの前後幅Ｌｕを、下面部Ｐｄの前後幅Ｌｄよりも広く形成すれば、上方からの水を水路Ｒｗ及び水受ガイド２により確実に受けることができる。
【００１４】
（４）  好適な態様により、外装パネルＰは、正面部Ｐｆと周面部Ｐｒを一枚のパネル材Ｍａにより一体成形したり、或いは正面部Ｐｆを含む外装パネル本体部Ｐｍと、この外装パネル本体部Ｐｍの裏面を支持し、かつ周面部Ｐｒを含む別体の支持部材Ｐｓにより構成できるなど、各種タイプの外装パネルＰに適用でき、適応性及び汎用性に優れる。
【００１５】
（５）  好適な態様により、水受ガイド２を、接合部位Ｘｃを覆うカバー部材２１と、少なくとも外装パネルＰの裏面側における上方からの水を受けて水路Ｒｗに導く水受部材２２を備えて構成すれば、カバー部材２１の機能と水受部材２２の機能を分けることができ、各機能を確実に実現できるとともに、異なる各種タイプの外装パネルＰ…にも柔軟に対応できる。
【００１６】
（６）  好適な態様により、カバー部材２１と水受部材２２を、外装パネルＰ又はこの外装パネルＰを支持する壁面下地部５１に固定すれば、別途の取付部材等が不要になり、部品点数の削減によるコストダウンに寄与できる。
【発明を実施するための最良の形態】
【００１７】
次に、本発明に係る最良の実施形態を挙げ、図面に基づき詳細に説明する。
【００１８】
まず、本実施形態に係る外装パネル構造１に用いる部材について、図６〜図８を参照して説明する。
【００１９】
Ｐは外装パネルであり、図６に示すように、一枚のアルミニウム製のパネル材Ｍａを金型を用いたプレス成形等により一体成形する。外装パネルＰは、矩形の正面部Ｐｆとこの正面部Ｐｆの四辺から裏面側に直角に折曲した周面部Ｐｒを有し、この周面部Ｐｒは、上面部Ｐｕ，下面部Ｐｄ，左面部Ｐｉ，右面部Ｐｊからなる。また、各面部Ｐｕ，Ｐｄ，Ｐｉ，Ｐｊの先端辺に沿って連続形成したフランジ部Ｆを有し、このフランジ部Ｆには、各面部Ｐｕ，Ｐｄ，Ｐｉ，Ｐｊから外方へ直角に折曲した上フランジ部Ｆｕ，下フランジ部Ｆｄ，左フランジ部Ｆｉ及び右フランジ部Ｆｊを含む。
【００２０】
この場合、上面部Ｐｕの前後幅Ｌｕは、下面部Ｐｄの前後幅Ｌｄよりも広く形成する。また、上面部Ｐｕの後部における左右端位置には、段差による切欠部Ｃｕｉ，Ｃｕｊを形成するとともに、この狭幅に形成した部分には、突出幅が比較的狭く、かつ上フランジ部Ｆｕと左右フランジ部Ｆｉ，Ｆｊ間を繋ぐ起立フランジ部Ｆｉｓ，Ｆｊｓを設ける。さらに、下フランジ部Ｆｄの下部における左右端位置には、段差による切欠部Ｃｄｉ，Ｃｄｊを形成する。
【００２１】
一方、２は、カバー部材２１及び水受部材２２からなる水受ガイドである。カバー部材２１は、図７に示すように、矩形状に形成した一枚のアルミニウム製の平プレート材Ｍｂの一側を直角に折曲して立上部３１ａを形成するとともに、平プレート材Ｍｂの他側を、立上部３１ａに対して反対方向へ直角に折曲して立下部３１ｂを形成する。これにより、立上部３１ａと立下部３１ｂ間は水平部３１ｃとなる。そして、水平部３１ｃの両端位置における下方空間は、矩形状に形成した左右一対の蓋板３２…により覆う。
【００２２】
また、水受部材２２は、図８に示すように、矩形状に形成した一枚のアルミニウム製の平プレート材Ｍｃを階段状に折曲し、三つの垂直部３３ａ，３３ｂ，３３ｃと各垂直部３３ａ，３３ｂ，３３ｃの相互間に位置する上水平部３３ｄ，下傾斜水平部３３ｅを形成する。そして、この平プレート材Ｍｃの両端位置には、Ｌ字形に形成した左右一対の衝立部３４…を付設し、図８に示すように、上水平部３３ｄ及び下傾斜水平部３３ｅの上方空間を覆う。この水受部材２２の横幅（左右方向幅）は、カバー部材２１の横幅（左右方向幅）よりも広くなるように形成する。
【００２３】
この場合、カバー部材２１は、後述する接合部位Ｘｃを覆う機能を有するとともに、水受部材２２は、少なくとも外装パネルＰの裏面側における上方からの水を受けて水路Ｒｗに導く機能を有する。このように、水受ガイド２を、カバー部材２１と水受部材２２により別体に構成すれば、カバー部材２１の機能と水受部材２２の機能を分けることができるため、各機能を確実に実現できるとともに、各種タイプの異なる外装パネルＰ…にも柔軟に対応できる利点がある。
【００２４】
次に、本実施形態に係る外装パネル構造１の施工方法について、図１〜図５を参照して説明する。
【００２５】
図１中、５２…は胴縁を示し、この胴縁５２…の一方の側面は、壁面基部５１ｏに固定する。また、胴縁５２…の他方の側面には、第一水平支持アングル５３…の一端を溶接により固着し、横外方へ突出させるとともに、この第一水平支持アングル５３…の他端に、縦方向の垂直規制アングル５４…を溶接により固着する。さらに、胴縁５２…には、第一水平支持アングル５３…に対して直交する第二水平支持アングル５５…を溶接により固着し、図４に示すように、この第二水平支持アングル５５…の両側に、左右一対の第一サブアングル５６，５６…を溶接により固着する。これにより、外装パネルＰ…を支持する壁面下地部５１が構成される。
【００２６】
一方、壁面下地部５１には、図３に示すように、複数の外装パネルＰ…を建造物における外壁面Ｗの縦方向及び横方向に配列させて取付ける。この場合、まず、ｎ段目における外装パネルＰ…を横方向に順次取り付ける。取り付けに際しては、図４及び図５に示すように、左フランジ部Ｆｉと右フランジ部Ｆｊ同士を重ね合わせるとともに、上フランジ部Ｆｕ…を第一サブアングル５６…にネジＮａ…により固定する。なお、上フランジ部Ｆｕにおける第一サブアングル５６…に対して反対側の面には、第二サブアングル５７…を一緒に固定するとともに、この第二サブアングル５７…には、取付アングル５８…を溶接により固着する。
【００２７】
また、カバー部材２１を、隣合う外装パネルＰ…における重なり合う起立フランジ部ＦｉｓとＦｊｓを覆うように、上フランジ部Ｆｕ上に載せるとともに、カバー部材２１の立上部３１ａを、ネジＮｂ…により隣合う上フランジ部Ｆｕ…間に固定する。さらに、このカバー部材２１（水平部３１ｃ）の上に水受部材２２（垂直部３３ｃ）を載せ、中間に位置する垂直部３３ｂをネジＮｃ…により隣合う上フランジ部Ｆｕ…に対してカバー部材２１の場合と同様に固定する。このように、カバー部材２１と水受部材２２は、外装パネルＰ…に固定できるため、別途の取付部材等が不要になり、部品点数の削減によるコストダウンに寄与できる。なお、５９は、ゴム製の目地カバーであり、予め外装パネルＰ…の左面部Ｐｉ及び右面部Ｐｊにネジ止めしておく。この目地カバー５９は、主に外観性を高めることを目的とするものであり、必ずしも取付けることを要しない。これにより、ｎ段目における外装パネルＰ…の取り付けが完了する。
【００２８】
次いで、ｎ＋１段目における外装パネルＰ…を横方向に順次取り付ける。取り付けに際しては、上述したｎ段目における外装パネルＰ…と同様に行う。また、図２に示すように、下フランジ部Ｆｄを取付アングル５８…に固定する。この際、カバー部材２１は、下フランジ部Ｆｄ，Ｆｄの切欠部Ｃｄｉ，Ｃｄｊにより形成される空間に収容される。なお、６０は、ゴム製の目地カバーであり、予め外装パネルＰ…の下面部Ｐｄにネジ止めしておく。この目地カバー６０も、主に外観性を高めることを目的とするものであり、必ずしも取付けることを要しない。これにより、ｎ＋１段目における外装パネルＰ…の取り付けが完了する。以後、同様に、ｎ＋２段目，ｎ＋３段目…における外装パネルＰ…の取り付けを順次行えば、本実施形態に係る外装パネル構造１の要部ができあがる。
【００２９】
次に、本実施形態に係る外装パネル構造１の機能（作用）について、各図を参照して説明する。
【００３０】
本実施形態に係る外装パネル構造１における外装パネルＰ…の上面部Ｐｕ…，下面部Ｐｄ…，左面部Ｐｉ…及び右面部Ｐｊ…は、基本的に水を導く水路Ｒｗとして機能する。したがって、目地内に侵入した雨水や結露水は、この水路Ｒｗを流れることができる。例示の外装パネル構造１は、目地部分を目地カバー５９，６０により覆っているため、この目地カバー５９，６０により目地内への雨水の侵入はある程度阻止されるが、シーリングを目的としていないため、目地内に侵入する雨水も少なくなく、目地内に侵入した雨水は、水路Ｒｗを通って下方に流れ落ちる。
【００３１】
この際、雨水は、上面部Ｐｕと下面部Ｐｄにより形成される水平方向の水路Ｒｗでは、矢印Ｄｈ方向に流れ、水路Ｒｗの交差する接合部位Ｘｃ…に達した際は、左面部Ｐｉと右面部Ｐｊにより形成される垂直方向の水路Ｒｗに流れ込む。一方、雨水は、垂直方向の水路Ｒｗでは、矢印Ｄｖ方向に流れ、水路Ｒｗが交差する接合部位Ｘｃ…に達した際は、次段における垂直方向の水路Ｒｗを通って流れ落ちる。この際、接合部位Ｘｃ…における雨水は、カバー部材２１と水受部材２２によって、外装パネルＰ…の裏面側への侵入が阻止される。
【００３２】
また、左面部Ｐｉと右面部Ｐｊを重ね合わせた隙間から外装パネルＰ…の裏面側に侵入した雨水は、外装パネルＰ…の裏面や垂直規制アングル５４…を伝って矢印Ｄｗ方向に流れ落ち、水受部材２２により受け取られて水路Ｒｗに導かれるとともに、外装パネルＰ…の裏面を伝った結露水は、矢印Ｄｗ方向に流れ落ちることにより、上面部Ｐｕ上の水路Ｒｗに導かれる。この際、上面部Ｐｕの前後幅Ｌｕは、下面部Ｐｄの前後幅Ｌｄよりも広く形成したため、上方からの水を水路Ｒｗ及び水受部材２２により確実に受け取ることができる。そして、垂直方向の水路Ｒｗを流れ落ちた水は、最終的に、最下部に設けた不図示の水切部を経て、地面等に排出される。
【００３３】
このように、本実施形態に係る外装パネル構造１によれば、外装パネルＰ…の目地及び裏面側に侵入した雨水、さらには外装パネルＰ…の裏面側で生じた結露水は、壁面下地部５１側に侵入したり外装パネルＰ…の裏面側に滞留することなく、全て水路Ｒｗに導かれるため、十分な防水性が確保される。したがって、コーキング材を目地に充填する必要がなくなるため、施工作業の容易化及び施工工数の低減を図れるとともに、熟練を要することなく全体の施工品質を高めることができる。また、シーリング性能の劣化による防水性の低下を回避できるため、シーリングに対する補修が不要になるなど、メンテナンスフリーを実現できるとともに、シーリングを施さないため、外装パネルＰ…の裏面側における通気性が確保され、建造物を良好な状態に維持できる。
【００３４】
次に、本発明の変更実施形態に係る外装パネル構造１について、図９を参照して説明する。
【００３５】
変更実施形態に係る外装パネル構造１は、外装パネルＰ…のタイプと壁面下地部５１のタイプを異ならせたものである。図９に示す外装パネルＰ…は、平板により形成した外装パネル本体部Ｐｍ…と、この外装パネル本体部Ｐｍ…の裏面を支持する別体の支持部材Ｐｓ…により構成し、外装パネル本体部Ｐｍ…と支持部材Ｐｓ…は、ボルトナットＮｗ…により結合する。この場合、支持部材Ｐｓ…に周面部Ｐｒ…を設け、この周面部Ｐｒ…を水路Ｒｗとして用いる。一方、壁面下地部５１は、成形セメント７１…を有し、この成形セメント７１…に、ボルトナットＮｘ…により支持金具７２…を取付けるとともに、この支持金具７２…にボルトナットＮｙ…により取付金具７３…を取付ける。そして、この取付金具７３…と支持部材Ｐｓ…をボルトナットＮｚ…により固定する。なお、７４…は、別途取り付けた目地化粧板を示す。その他の構成は、基本的に、図１〜図８に示した基本の実施形態に係る外装パネル構造１と同じである。したがって、図９において、図１〜図８と同一部分には同一符号を付して、その構成を明確にするとともに、その詳細な説明は省略する。このように、本発明に係る外装パネル構造１は、各種タイプの外装パネルＰ…に適用でき、適応性及び汎用性に優れる。
【００３６】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、水受ガイド２は、別部材となるカバー部材２１と水受部材２２により構成した場合を示したが、カバー部材２１と水受部材２２は一体形成してもよいし、必要により三以上の部材の組み合わせにより構成してもよい。また、外装パネルＰ…の形態或いは壁面下地部５１の構成は、例示以外の任意の公知形態或いは公知構成を採用することができる。さらに、カバー部材２１及び水受部材２２は、外装パネルＰに固定した場合を示したが、外装パネルＰを支持する壁面下地部５１に固定してもよい。
【図面の簡単な説明】
【００３７】
【図１】本発明の最良の実施形態に係る外装パネル構造の一部断面側面図（図３中Ａ−Ａ線断面）、
【図２】同外装パネル構造における水受ガイドを明示する斜視図、
【図３】同外装パネル構造の一部抽出拡大図を含む正面図、
【図４】同外装パネル構造の一部断面平面図（図３中Ｂ−Ｂ線位置の断面）、
【図５】同外装パネル構造における起立フランジ部を明示する斜視図、
【図６】同外装パネル構造における外装パネルの斜視図、
【図７】同外装パネル構造におけるカバー部材の斜視図、
【図８】同外装パネル構造における水受部材の斜視図、
【図９】本発明の変更実施形態に係る外装パネル構造の一部断面平面図（図３中Ｂ−Ｂ線位置の断面）、
【符号の説明】
【００３８】
１      外装パネル構造
２      水受ガイド
２１    カバー部材
２２    水受部材
５１    壁面下地部
Ｐ…    外装パネル
Ｐｒ…  周面部
Ｐｆ    正面部
Ｐｕ    上面部
Ｐｄ    下面部
Ｐｉ    左面部
Ｐｊ    右面部
Ｐｍ    外装パネル本体部
Ｐｓ    支持部材
Ｗ      外壁面
Ｒｗ    水路
Ｘｃ…  接合部位
Ｌｕ    上面部の前後幅
Ｌｄ    下面部の前後幅
Ｍａ    パネル材
【図１】
2005248451.tif 000003
【図２】
2005248451.tif 000004
【図３】
2005248451.tif 000005
【図４】
2005248451.tif 000006
【図５】
2005248451.tif 000007
【図６】
2005248451.tif 000008
【図７】
2005248451.tif 000009
【図８】
2005248451.tif 000010
【図９】
2005248451.tif 000011